(57)【要約】【課題】再生されるトナーカートリッジを簡易に仕様毎に分類することができるトナーカートリッジの判定装置を提供する。【解決手段】判定装置２において、判定プログラム４の読込部４００は、メモリチップ９０に記憶されている印刷枚数であって、このメモリチップ９０が取り付けられていたプロセスカートリッジ４６のトナー残量に応じた印刷枚数を入力する。決定部４０２は、読込部４００により入力された印刷枚数に関するデータに基づいて、再生後のプロセスカートリッジ４６の仕様を決定する。決定部４０２は、この印刷枚数が第１の閾値α未満であるか否かを判定する。また、決定部４０２は、この印刷枚数が第１の閾値α以上第２の閾値β未満であるか否かを判定する。 【選択図】図６
2008083473.tif 000002
【特許請求の範囲】
【請求項１】
トナーカートリッジのトナー残量に応じたデータを入力する入力手段と、
前記入力手段により入力されたデータに基づいて、再生後の該トナーカートリッジの仕様を決定する決定手段と
を有するトナーカートリッジの判定装置。
【請求項２】
前記入力手段は、トナー残量が予め決められた閾値を下回った際の印刷枚数を入力する
請求項１に記載のトナーカートリッジの判定装置。
【請求項３】
前記入力手段は、トナーカートリッジに取り付けられたメモリチップに記憶されているデータを入力する
請求項１又は２に記載のトナーカートリッジの判定装置。
【請求項４】
前記決定手段は、複数の仕様のうち再生後のトナーカートリッジが該当する１以上の仕様を決定する
請求項１乃至３のいずれかに記載のトナーカートリッジの判定装置。
【請求項５】
前記決定手段により決定された仕様を無線チップに書き込む書込み手段をさらに有する
請求項１乃至４のいずれかに記載のトナーカートリッジの判定装置。
【請求項６】
コンピュータを含むトナーカートリッジの判定装置において、
トナーカートリッジのトナー残量に応じたデータを入力する入力ステップと、
前記入力されたデータに基づいて、再生後の該トナーカートリッジの仕様を決定する決定ステップと
を前記判定装置のコンピュータに実行させるプログラム。
【発明の詳細な説明】
【技術分野】
【０００１】
本発明は、再生されるトナーカートリッジの判定を行うトナーカートリッジの判定装置に関する。
【背景技術】
【０００２】
一般に、プリンタ等の画像形成装置には、トナーカートリッジのトナー残量を検出するトナー残量検出ユニットが設けられている。例えば、トナーカートリッジのトナー残量検出ユニットは、φ２の非磁性ＳＵＳ材（アンテナ）を現像ローラに対面する位置で前記現像ローラを保持する筐体に一端を設け、他端を前記筐体に係合する樹脂からなるカバーに取り付く構成になっている。一方、画像形成装置はトナーを紙に溶着するために高温部を有している。画像形成装置の小型化（高密度実装）に伴って、トナーカートリッジの周囲温度は、５０〜６０℃近くになる。
【０００３】
このため、ユーザの使用状況及び使用環境により、前記筐体には、前記の温度による熱変形が起こることがある。この場合、φ２のアンテナの位置がずれると、トナー残量検出ユニットは誤検出してしまう。従って、トナーカートリッジをリサイクルして使用する際には、トナー残量検出ユニットの部品寸法を確認（測定）する必要があり、工数が掛かるという問題があった。
【０００４】
特許文献１では、トナーカートリッジの現像ローラの再使用における判定装置が開示されている。
【０００５】
【特許文献１】特開２００４−５４２４１号公報
【発明の開示】
【発明が解決しようとする課題】
【０００６】
本発明は、再生されるトナーカートリッジを簡易に仕様毎に分類することができるトナーカートリッジの判定装置を提供することを目的とする。
【課題を解決するための手段】
【０００７】
上記目的を達成するため、本発明に係るトナーカートリッジの判定装置は、トナーカートリッジのトナー残量に応じたデータを入力する入力手段と、前記入力手段により入力されたデータに基づいて、再生後の該トナーカートリッジの仕様を決定する決定手段とを有する。本発明によれば、本構成を有していない場合に比較して、再生されるトナーカートリッジをより効率よく仕様毎に分類することができる。尚、トナーカートリッジのトナー残量に応じたデータとは、トナーの消費と相関関係があるものであれば何れでも良く、例えば、印刷枚数やトナーカートリッジ内の各種部材（トナー搬送部材、トナー攪拌部材、感光体、現像ロール等）の回転数等を用いることができる。
【０００８】
好適には、前記入力手段は、トナー残量が予め決められた閾値を下回った際の印刷枚数を入力する。本発明によれば、再生されるトナーカートリッジを、トナー充填量に応じた仕様毎に分類することができる。
【０００９】
好適には、前記入力手段は、トナーカートリッジに取り付けられたメモリチップに記憶されているデータを入力する。本発明によれば、本構成を有していない場合に比較して、トナーカートリッジに対してメモリチップ等の記憶装置の脱着を行うことができる。
【００１０】
好適には、前記決定手段は、複数の仕様のうち再生後のトナーカートリッジが該当する１以上の仕様を決定する。本発明によれば、本構成を有していない場合に比較して、トナーカートリッジを有効に再生することができる。
【００１１】
好適には、前記決定手段により決定された仕様を無線チップに書き込む書込み手段をさらに有する。本発明によれば、本構成を有していない場合に比較して、再生されたトナーカートリッジの仕様を容易に確認することができる。
【００１２】
また、本発明に係るプログラムは、コンピュータを含むトナーカートリッジの判定装置において、トナーカートリッジのトナー残量に応じたデータを入力する入力ステップと、前記入力された印刷枚数に関するデータに基づいて、再生後の該トナーカートリッジの仕様を決定する決定ステップとを前記判定装置のコンピュータに実行させる。
【発明の効果】
【００１３】
本発明によれば、再生されるトナーカートリッジを簡易に仕様毎に分類することができる。
【発明を実施するための最良の形態】
【００１４】
図１は、本発明の実施形態に係る画像形成装置１０の概要を示す。
図１に示すように、画像形成装置１０は、画像形成装置本体１２を有し、この画像形成装置本体１２内に像形成手段１４が搭載され、この画像形成装置本体１２の上部に排出部１６が設けられていると共に、この画像形成装置本体１２の下部に例えば２段の給紙ユニット１８、１８が配置されている。
【００１５】
それぞれの給紙ユニット１８は、被転写材としての用紙１９が収納される給紙カセット２０と給紙ロール２２ａ、２２ｂとを有し、この給紙ロール２２ａ、２２ｂの回転により給紙カセット２０に積載された用紙１９がレジストロール２４に搬送される。さらにレジストロール２４の下流側には、後述するプロセスカートリッジ（トナーカートリッジ）４６と転写手段としての転写装置３６とが対峙して設けられ、さらにその下流側には定着装置４０が設けられている。
【００１６】
したがって、給紙ユニット１８の給紙カセット２０から給紙ロール２２ａ及び２２ｂにより送り出された用紙１９は、レジストロール２４により一時停止され、タイミングをとって感光体２８と転写装置３６との間を通って現像剤像が転写され、この転写された現像剤像が定着装置４０により定着され、排出ロール２６により排出部１６へ排出される。
【００１７】
一方、画像形成装置本体１２の側面（図１の左側面）には、例えば手差しユニット４１が配置されている。この手差しユニット４１より送り出された用紙は給紙ユニット１８より送り出された用紙１９と同様に、レジストロール２４により一時停止され、タイミングをとって感光体２８と転写装置３６との間を通って現像剤像が転写され、この転写された現像剤像が定着装置４０により定着され、排出ロール２６により排出部１６へ排出される。
【００１８】
また、画像形成装置本体１２には、図示しない用紙検知装置が設けられており、この用紙検知装置は、給紙ユニット１８及び手差しユニット４１から送り出される用紙を検知し、検知した旨を後述する制御部８８に対して出力する。制御部８８は、検知された用紙の枚数を印刷枚数として保持する。
【００１９】
像形成手段１４は電子写真式のもので、感光体２８と、この感光体２８を帯電する帯電装置３０と、この帯電装置３０により帯電された感光体２８に、光により潜像を書き込む光書込み装置３２と、この光書込み装置３２により形成された感光体２８の潜像を現像剤（トナー）３１により可視化する現像装置３４と、所定電流が印加され、現像装置３４による感光体２８上の現像剤像を用紙１９に転写する転写装置３６と、感光体２８に残存する現像剤をクリーニングするクリーニング装置３８と、転写装置３６により転写された用紙１９上の現像剤像を用紙１９に定着させる例えば加圧ロールと加熱ロールとからなる定着装置４０とから構成されている。光書込み装置３２は例えば走査型のレーザ露光装置からなり、後述するプロセスカートリッジ４６内を横切り、感光体２８に潜像を形成する。クリーニング装置３８は、感光体２８に接触するクリーニング部材としてのクリーニングブレード４２と、このクリーニングブレード４２で掻き落とされた現像剤３１を収納する現像剤回収部４４とを有する。なお、光書込み装置３２は、他の実施形態としてＬＥＤや面発光レーザなどを用いることができる。
【００２０】
次に、本発明の実施形態に係るプロセスカートリッジ４６を図面に基づいて説明する。
図２は、本発明の一実施形態に係るプロセスカートリッジ４６の概要を示す。
図２に示すように、プロセスカートリッジ４６は、感光体２８、帯電装置３０、現像装置３４及びクリーニング装置３８を一体化したものであり、これらを一体として交換できるようになっている。なおプロセスカートリッジ４６には、感光体２８の外側に開閉蓋２９が設けられている。この開閉蓋２９は、プロセスカートリッジ４６が画像形成装置本体１２に装着されていない状態では感光体２８を覆う位置にあり、プロセスカートリッジ４６が画像形成装置本体１２に装着される際に感光体２８の上方に移動し、感光体２８がプロセスカートリッジ４６の外側面に現れ、プロセスカートリッジ４６が画像形成装置本体１２に装着された時点で図２に示すように感光体２８と転写装置３６とが対峙した状態となる。また、このプロセスカートリッジ４６にはクリーニング装置３８から斜め上に向かって伸び先端部が下側にカーブした取っ手部３９が設けられている。これによりプロセスカートリッジ４６を画像形成装置本体１２より取り出す際に取っ手部３９を握りプロセスカートリッジ４６を引き出すことでプロセスカートリッジ４６を画像形成装置本体１２より容易に取り出すことができる。
【００２１】
現像装置３４は、現像剤（トナー）３１を収納する現像剤容器５０と現像部５２とを有する。この現像剤容器５０は、内部にアジテータ（現像剤撹拌部材）５４が配置されている。このアジテータ５４は、例えばＰＥＴ（ポリエチレンテレフタレート）などの可撓性の撹拌板５６を有し、この撹拌板５６の先端辺５７が現像剤容器５０の内壁に当接しながら回転し、現像剤容器５０と現像部５２が現像剤供給口６０を介して連通しており、この現像剤供給口６０から現像部５２へ現像剤が搬送される。
【００２２】
また、現像装置３４には、図示しないトナー残量センサが設けられている。トナー残量センサは、現像装置３４内のトナー量が所定値に満たなくなったことを検出し、トナーエンプティ信号を、制御部８８に対して出力する。
【００２３】
現像部５２には、内部にマグネットロールが配置された現像ロール５８が配置されている。この現像ロール５８は、感光体２８に、例えば感光体２８の下部で対峙し、この対峙された部分が現像位置となっている。なおこの現像ロール５８には所定電圧が印加されている。
【００２４】
ブレード装置６２は、現像ブレード６４と取付け部６６とから構成されている。現像ブレード６４は例えばポリウレタン、シリコンゴムなどの弾性樹脂からなり現像部５２に配置されている。この現像ブレード６４は、一端が取付け部６６を介して現像剤容器５０に固定されている。取付け部６６は板金からなり、この取付け部６６に現像ブレード６４の一端がホットメルトなどにより固定されている。また現像ブレード６４は、他端手前で現像ロール５８に弾性変形して接触しており、この現像ブレード６４により現像ロール５８の現像剤の層厚を規制し、この層厚が規制された現像剤を現像位置にて感光体２８上の潜像を現像するようにしている。
【００２５】
また、プロセスカートリッジ４６は、画像形成装置本体１２に装着された際に感光体２８が転写装置３６に対峙する位置の用紙搬送方向上流側にフィルム状のシートで形成された導電性部材６８を有している。この導電性部材６８は、転写装置３６及び感光体２８の軸方向長さとほぼ同じ長さを有するシートで形成されている。この導電性部材６８には図示されていないが現像ロール５８に電圧を印加する回路より分岐した回路により現像ロール５８に印加する電圧と等しい電圧が印加されている。このように導電性部材６８を設けることで、現像時に発生する飛散現像剤を導電性部材６８上へ電気的に付着させることができ、飛散現像剤による画像形成装置本体１２内の汚れを防止できる。なおこの導電性部材６８は、軸方向全長即ち長手方向全長にわたって転写装置３６側（導電性部材６８の外側）が絶縁性フィルム７０により覆われている。これは搬送される用紙１９が導電性部材６８に接触すると、用紙１９を介して導電性部材６８と転写装置３６との間でリークを起こすおそれがあるためである。
【００２６】
プロセスカートリッジ４６の側面部には、メモリチップ９０が取り付けられている。メモリチップ９０は、後述するアンテナを有し、画像形成装置本体１２に設けられた後述するアンテナとの間で無線通信を行う。
【００２７】
さらに、プロセスカートリッジ４６には、タグ８６が取り付けられている。タグ８６は、所定の読取装置との間で無線通信を行うＩＣタグであり、ＲＦＩＤタグとも呼ばれる。タグ８６は、無線通信により、プロセスカートリッジ４６の識別子等の情報を含む応答信号を出力する。
【００２８】
次に、画像形成装置１０の制御部８８及びプロセスカートリッジ４６に取り付けられたメモリチップ９０に関し、それぞれの回路構成について説明する。
図３は、制御部８８及びメモリチップ９０の回路構成を示すブロック図である。
図３に示すように、制御部８８は、ＣＰＵ７２、ＲＯＭ７４、ＲＡＭ７６、電源回路７８、送受信回路８０、インターフェイス（ＩＦ）回路８２を含む。
【００２９】
制御部８８において、ＣＰＵ７２は、制御部８８の各構成部分の動作を制御する。ＲＯＭ７４は、例えばフラッシュＲＯＭからなり、画像形成装置１０の制御に必要な情報などを記憶する。ＲＡＭ７６は、例えばＳＲＡＭからなり、ＩＦ回路８２から入力される画像データなどの一時的な情報を記憶する。電源回路７８は、制御部８８の各構成部分の動作に必要な電力を供給する。送受信回路８０は、後述するアンテナ８４により送信及び受信された信号を変調及び復調し、ＣＰＵ７２との間でデータの入出力を行う。ＩＦ回路８２は、ネットワーク等を介して外部のコンピュータ、及びトナー残量センサ、用紙検知装置などの画像形成装置本体１２内の構成要素との間で、画像データ、トナーエンプティ信号、印刷枚数に関するデータなどを送受信する。
【００３０】
アンテナ８４は、プロセスカートリッジ４６に取り付けられたメモリチップ９０のアンテナ１０２との間でデータの送信及び受信を行う。より具体的には、アンテナ８４は、送受信回路８０からプロセスカートリッジ４６のトナー残量に応じた印刷枚数に関するデータを入力し、メモリチップ９０のアンテナ１０２に対して出力する。アンテナ８４は、例えば現像装置３４の近傍に配置されている。
【００３１】
メモリチップ９０は、ＣＰＵ９２、ＥＰＲＯＭ９４、ＲＡＭ９６、電源回路９８、送受信回路１００及びアンテナ１０２を含む。メモリチップ９０は、これらの構成要素により、トナー及び印刷枚数に関する情報を記憶し、通信要求を発行し、送受信対象であるアンテナ８４との間でデータの送信及び受信を行う。より具体的には、メモリチップ９０は、トナーカートリッジのトナー残量に応じた印刷枚数に関するデータをアンテナ８４から受信して記憶する。例えば、メモリチップ９０は、トナー残量が予め決められた閾値を下回った際の印刷枚数を記憶する。また、メモリチップ９０は、ＥＰＲＯＭ９４に記憶されている情報を無線により送信する。
【００３２】
メモリチップ９０において、ＣＰＵ９２は、メモリチップ９０の各構成部分の動作を制御する。電源回路９８は、電波信号を受け入れると、電波信号による電磁誘導によって生じた電流を整流し、メモリチップ９０の各構成部分に対して、それらの動作に必要な電力を供給する。
【００３３】
ＥＰＲＯＭ９４は、書き込み可能な不揮発性メモリであり、ＣＰＵ９２から入力される信号がデータの書き込みを示す場合には、当該データを記憶し、データの読み出しを示す場合には、記憶しているデータをＣＰＵ９２に対して出力する。ＥＰＲＯＭ９４は、例えばフラッシュＲＯＭ又はＦｅＲＡＭ（強誘電体メモリ）であってもよい。ＲＡＭ１２４は、ＣＰＵ１２０により書き込み及び読み出しが行われる一時的な情報を記憶する。
【００３４】
送受信回路１００は、ＣＰＵ９２から入力されるデータなどの信号を、クロック信号に同期して変調し、アンテナ１０２に対して出力する。また、送受信回路１００は、電波信号を受け入れると、電波信号に含まれるデータなどの信号を、クロック信号に同期してＣＰＵ９２に対して出力する。
【００３５】
アンテナ１０２は、送受信回路１００から入力された信号を、電波信号として、画像形成装置本体１２に設けられたアンテナ８４に対して送信する。また、アンテナ１０２は、アンテナ８４から送信された電波信号を受信して送受信回路１００に対して出力する。なお、電波信号として送受信される信号は、ＣＰＵ９２により暗号化された後に電波信号に変換されて、送受信されるようにしてもよい。
【００３６】
次に、本発明の実施形態に係るトナーカートリッジの判定装置２を説明する。
図４は、本発明の実施形態に係るトナーカートリッジの判定装置２のハードウェア構成を、制御装置２００を中心に示す図である。
図４に示すように、判定装置２は、ＣＰＵ２０２及びメモリ２０４などを含む制御装置２００と、ネットワークを介して外部のコンピュータなどとデータの送信及び受信を行う通信装置２０６と、ハードディスクドライブなどの記憶装置２０８と、液晶ディスプレイなどの表示装置並びにキーボード及びポインティングデバイスを含むユーザインタフェース（ＵＩ）装置２１０と、メモリチップ９０に記憶されているデータを読み込む読込装置２１２と、タグ８６にデータを書き込む書込み装置２１４とを有する。
【００３７】
読込装置２１２は、メモリチップ９０との間で無線通信によりデータの送受信を行う。書込み装置２１４は、タグ８６に対して所定のデータを書き込む。なお、読込装置２１２と書込み装置２１４は、同一の装置であってもよい。
【００３８】
判定装置２は、例えば、後述する判定プログラム４がインストールされた汎用コンピュータであり、メモリチップ９０に記憶されているデータを読込装置２１２を介して取得し、取得されたデータに基づいて該メモリチップ９０が取り付けられていたプロセスカートリッジ４６を判定する。なお、判定装置２は、メモリチップ９０から取得されたデータを、通信装置２０６を介して外部のコンピュータから取得してもよいし、ＦＤ、ＣＤ又はＤＶＤなどの記録媒体２１６から取得してもよい。
【００３９】
図５は、判定装置２の制御装置２００により実行される判定プログラム４の機能構成を示す図である。
図５に示すように、判定プログラム４は、読込部４００、決定部４０２、保存部４０４及び表示部４０６を有する。判定プログラム４は、例えば、通信装置２０６を介して制御装置２００に供給され、メモリ２０４にロードされて、制御装置２００上で動作する図示しないＯＳ上で、ハードウェアを具体的に利用して実行される。なお、判定プログラム４は、ＤＶＤ等の記録媒体２１６に格納されて、判定装置２に供給されてもよい。
【００４０】
判定プログラム４は、読込部４００は、読込装置２１２を介して、メモリチップ９０に記憶されているデータを読み込む。具体的には、読込部４００は、プロセスカートリッジ４６のトナー残量に応じた印刷枚数に関するデータを入力する入力手段を構成する。例えば、読込部４００は、トナー残量が予め決められた閾値を下回った際の印刷枚数を入力する。本例では、画像形成装置１０の制御部８８が、トナーエンプティ信号を受け付けた際の印刷枚数をメモリチップ９０に記憶し、読込部４００は、この記憶されている印刷枚数を入力する。なお、読込部４００は、メモリチップ９０から読み込まれたデータを、通信装置２０６を介してネットワークから入力してもよいし、記録媒体２１６などを介して入力してもよい。
【００４１】
決定部４０２は、読込部４００により入力された印刷枚数に関するデータに基づいて、再生後のプロセスカートリッジ４６の仕様を決定する。具体的には、決定部４０２は、該印刷枚数と予め決められた閾値とを比較し、予め決められた複数ある仕様のうち再生後のプロセスカートリッジ４６が該当する１以上の仕様を決定する。
【００４２】
本例では、２つの仕様（仕様Ａ、仕様Ｂ）が再生後のプロセスカートリッジ４６の仕様として決められており、再生後の仕様は、読み込まれた印刷枚数と２つの閾値（閾値α、閾値β）に基づいて決定される場合を説明する。この場合、決定部４０２は、読込部４００から入力された印刷枚数が第１の閾値α未満である場合、ギアなどの材料を再生することを決定し、該印刷枚数が第１の閾値α以上第２の閾値β未満である場合、第１の仕様Ａとしてプロセスカートリッジ４６を再生することを決定し、該印刷枚数が第２の閾値β以上である場合、第１の仕様Ａ及び第２の仕様Ｂのいずれかとして再生することを決定する。
【００４３】
例えば、閾値αは６，０００枚であり、閾値βは１４，０００枚である。また、閾値α，βは、予め決められた閾値に所定の割合を乗じた値であってもよい。例えば、この割合が０．８である場合、閾値αは、６０００×０．８＝４８００であり、閾値βは、１４００００×０．８＝１１２００である。
【００４４】
なお、本例では、仕様及び閾値はそれぞれ２つであるが、仕様及び閾値は３以上であってもよい。例えば、仕様が仕様Ａ〜Ｃの３つであり、閾値が閾値α，β，γ（例えば、それぞれ６０００，１２０００，１４０００）であってもよい。
【００４５】
保存部４０４は、決定部４０２により決定された仕様を書込み装置２１４を介してタグ８６に保存する。表示部４０６は、決定部４０２により決定された仕様をＵＩ装置２１０に表示する。
【００４６】
図６は、判定プログラム４による判定処理（Ｓ１０）を示すフローチャートである。
図６に示すように、ステップ１００（Ｓ１００）において、判定プログラム４の読込部４００は、メモリチップ９０に記憶されている印刷枚数であって、このメモリチップ９０が取り付けられていたプロセスカートリッジ４６のトナー残量に応じた印刷枚数を入力する。例えば、この印刷枚数は、トナー残量が予め決められた閾値を下回った際の印刷枚数であり、トナーエンプティになった際の印刷枚数である。
【００４７】
ステップ１０２（Ｓ１０２）において、決定部４０２は、この印刷枚数が第１の閾値α未満であるか否かを判定する。決定部４０２は、印刷枚数が第１の閾値α未満である場合にはＳ１０４の処理に進み、そうでない場合にはＳ１０６の処理に進む。
ステップ１０４（Ｓ１０４）において、決定部４０２は、このプロセスカートリッジを仕様Ａ及び仕様Ｂのいずれとしても再生せず、材料を再生することを決定する。
【００４８】
ステップ１０６（Ｓ１０６）において、決定部４０２は、この印刷枚数が第１の閾値α以上第２の閾値β未満であるか否かを判定する。決定部４０２は、印刷枚数が第１の閾値α以上第２の閾値β未満である場合にはＳ１０８の処理に進み、そうでない場合にはＳ１１０の処理に進む。
【００４９】
ステップ１０８（Ｓ１０８）において、決定部４０２は、プロセスカートリッジを第１の仕様Ａとして再生することを決定する。なお、この場合、プロセスカートリッジは、第２の仕様Ｂとしては再生されない。
ステップ１１０（Ｓ１１０）において、決定部４０２は、プロセスカートリッジを第１の仕様Ａ及び第２の仕様Ｂのいずれかとして再生することを決定する。
このようにして、決定部４０２は、読込部４００により入力された印刷枚数に関するデータに基づいて、再生後のプロセスカートリッジ４６の仕様を決定する。
【００５０】
ステップ１１２（Ｓ１１２）において、保存部４０４は、決定部４０２により決定された仕様をタグ８６に保存する。この仕様は、書込み装置２１４によりタグ８６に書き込まれ、このタグ８６は、プロセスカートリッジ４６に取り付けられる。
【００５１】
なお、決定された仕様は、プロセスカートリッジ４６の筐体に印刷されてもよいし、ラベル等に印刷され、プロセスカートリッジ４６に貼付されてもよい。また、この仕様は、バーコード、２次元コード等として、プロセスカートリッジ４６又はラベルに印刷されてもよい。
【図面の簡単な説明】
【００５２】
【図１】本発明の実施形態に係る画像形成装置１０の概要を示す。
【図２】本発明の一実施形態に係るプロセスカートリッジ４６の概要を示す。
【図３】制御部８８及びメモリチップ９０の回路構成を示すブロック図である。
【図４】本発明の実施形態に係るトナーカートリッジの判定装置２のハードウェア構成を、制御装置２００を中心に示す図である。
【図５】判定装置２の制御装置２００により実行される判定プログラム４の機能構成を示す図である。
【図６】判定プログラム４による判定処理（Ｓ１０）を示すフローチャートである。
【符号の説明】
【００５３】
２ 判定装置
４ 判定プログラム
１０ 画像形成装置
１２ 画像形成装置本体
３４ 現像装置
４６ プロセスカートリッジ
８４ アンテナ
８６ タグ
８８ 制御部
９０ メモリチップ
２００ 制御装置
２０２ ＣＰＵ
２０４ メモリ
２０６ 通信装置
２０８ 記憶装置
２１０ ＵＩ装置
２１２ 読込装置
２１４ 書込み装置
４００ 読込部
４０２ 決定部
４０４ 保存部
４０６ 表示部
【図１】
2008083473.tif 000003
【図２】
2008083473.tif 000004
【図３】
2008083473.tif 000005
【図４】
2008083473.tif 000006
【図５】
2008083473.tif 000007
【図６】
2008083473.tif 000008